(57)【特許請求の範囲】
【請求項１】
プラスチックシートから箱状に折り曲げ形成され、側壁部に突設された差込片を蓋板のロック用切り込みに差し込むことによって蓋板の開封を防止するように構成された包装ケースであって、差込片の差込状態を維持すべく差込片を係止する係止手段を備え、差込片全体が露出する開口部を蓋板に形成できるように、ロック用切り込みを起点とした開封用の切断線が蓋板に形成され、開封時に前記開口部から差込片を上方に引き出すことによって係止手段の係止状態が解除されるように構成されていることを特徴とする包装ケース。
【発明の詳細な説明】
【０００１】
【発明の属する技術分野】
本発明は、プラスチックシートから形成された包装ケースに関し、特に、包装ケースの開封防止構造に関する。
【０００２】
【従来の技術】
従来、この種の包装ケースとしては、一枚のプラスチックシートから箱状に折り曲げ形成され、筒状の側壁部とその開口を閉塞するための蓋板とを備えたものが公知である。
そして、この包装ケース内に前記開口から被包装物が収納され、蓋板によって開口が閉塞されるが、一般的には、蓋板を側壁部に接着することによって蓋体の開封を防止していた。
【０００３】
【発明が解決しようとする課題】
しかしながら製造工程の容易化等の観点から接着剤を使用せずに組み立てのみで蓋板の開封を防止することが望まれている。これに対して、側壁部の端縁から上方に突設された差込片を蓋板のロック用切り込みに差し込むことによって蓋板の開封を防止する構成も考えられるが、この場合、差込片は単に切り込みに挿入されているのみであるため、差込片を切り込みから容易に抜き出して蓋板を開けることが可能である。
【０００４】
そこで、本発明は、上記従来の問題点に鑑みてなされたもので、接着剤を使用することなく蓋板の開封を確実に防止することができる包装ケースを提供することを課題とする。
【０００５】
【課題を解決するための手段】
本発明は、上記課題を解決すべくなされたものであり、本発明に係る包装ケースは、プラスチックシートから箱状に折り曲げ形成され、側壁部に突設された差込片を蓋板のロック用切り込みに差し込むことによって蓋板の開封を防止するように構成された包装ケースであって、差込片の差込状態を維持すべく差込片を係止する係止手段を備え、差込片全体が露出する開口部を蓋板に形成できるように、ロック用切り込みを起点とした開封用の切断線が蓋板に形成され、開封時に前記開口部から差込片を上方に引き出すことによって係止手段の係止状態が解除されるように構成されていることを特徴とする。
【０００６】
該構成にあっては、差込片をロック用切り込みに差し込むと、係止手段が差込片を係止するため、差込片の差込状態が維持される。
【０００８】
また、差込片全体が露出する開口部を蓋板に形成できるように、ロック用切り込みを起点とした開封用の切断線が蓋板に形成され、開封時に前記開口部から差込片を上方に引き出すことによって係止手段の係止状態が解除されるように構成されているので、開口部から差込片を上方に引き出すことで係止状態が解除されるため、容易に蓋板を開封することができる。
【０００９】
【発明の実施の形態】
以下、本発明の包装ケースの一実施形態について図１乃至図８を参酌しつつ説明する。
図１に示す包装ケースは、図３に示すような一枚の展開形状のプラスチックシートを折曲線１，２，３に沿って折り曲げて接着部４を接着することにより、縦長の箱状に組み立て形成されたものである。尚、全ての折曲線１，２，３には、所定の折曲罫線が刻設されている。図３において折曲線１，２，３は破線にて示している。
【００１０】
ここで、プラスチックシートは、ポリエチレンテレフタレート等のポリエステル、ポリ塩化ビニル、ポリプロピレン、ポリスチレン等の合成樹脂から硬質又は半硬質に形成されてなるもので、特にポリプロピレンが好ましく、透明又は半透明のものが使用される。また、その肉厚は０．１ｍｍ乃至０．８ｍｍのものを採用可能で、特に０．２ｍｍ乃至０．５ｍｍ厚のものが製造上、コスト面、ケースの必要強度等の観点から好ましい。
【００１１】
図１に戻って前記包装ケースは、正面壁５と背面壁６と左右側壁７，８とからなる四角形筒状の側壁部９と、ケースの下方開口を閉塞すべく合計四つの底面フラップ１０，１１，１２，１３から構成された底面部１４と、ケースの上方開口を閉塞するための蓋板１５とを備えている。尚、左右側壁７，８の上縁部には各々サイドフラップ１７，１６が折曲線３を介して延設されている。また、蓋板１５は、背面壁６の上縁部に折曲線３を介して延設され、その先端には、折曲線２を介して蓋フラップ１８が延設されており、図２のように、蓋板１５を閉塞した状態において、蓋フラップ１８は正面壁５の内側に折り込まれる構成である。
【００１２】
更に、正面壁５の上縁部５ａ略中央には、上方に向けて所定幅の差込片１９が突設され、蓋フラップ１８の折曲線２上にはロック用切り込み２０が形成されており、図２のように蓋板１５で上方開口を閉塞した状態において、蓋板１５の閉状態を維持するために、差込片１９がロック用切り込み２０に差し込まれる構成となっている。以下、かかる蓋板１５の開封を防止するための開封防止構造について説明する。
【００１３】
前記差込片１９は、図４に示すように正面壁５の上縁部５ａから所定幅Ｌ１を有して上方に突設されているが、該差込片１９は正面壁５に対して内側に略９０度折り曲げられた状態でロック用切り込み２０に差し込まれる構成である。従って、差込片１９を折り曲げるための折曲線１が形成されているが、該折曲線１は、図４の如く、正面壁５の上縁部５ａよりも低い位置に形成されている。尚、図４乃至図６及び図９、図１０において折曲線１，２は二点鎖線にて示している。
【００１４】
また、差込片１９の折曲線１は、差込片１９を横断するようにその全幅に亘って形成されているのではなく、差込片１９の幅方向略中央に所定長さ（Ｌ２）のみ形成されている。そして、正面壁５の上縁部５ａと折曲線１の各端部との間は切断分離され、従って、差込片１９は折曲線１のみによって正面壁５と連結されている。上述のように折曲線１は正面壁５の上縁部５ａよりも一段低い位置に形成されているため、差込片１９は、折曲線１の各端部から正面壁５の上縁部５ａにかけて、差込片１９の先端側に食い込むようにして正面壁５から切断分離されている。従って、差込片１９は、折曲線１の両側位置に、それぞれ折曲線１の端部から差込片１９の先端側に向けて傾斜した傾斜縁部１９ａと、該傾斜縁部１９ａと差込片１９の側縁部１９ｂとを繋ぐように折曲線１と略平行な被係止縁部１９ｃとを有している（図５（ロ）参照）。
【００１５】
差込片１９は以上のように構成されるため、正面壁５に対して内側に略９０度折曲した状態においては、正面視においては図５（イ）の如く差込片１９は正面壁５の上縁部５ａから一段低い位置に位置する。それと共に、平面視においては図５（ロ）の如く折曲線１の両側には、被係止縁部１９ｃと正面壁５との間に所定の隙間Ｇが形成される。該隙間Ｇは、少なくとも包装ケースを構成するプラスチックシートの厚さ以上あればよい。
【００１６】
更に、正面壁５の上部には、差込片１９の下方側位置に略コの字状の切断線２１（開封手段）が刻設されている。正面壁５のうち、略コの字状の切断線２１で他の領域と区画された切離領域２２は、差込片１９に折曲線１を介して連結されている。かかる切離領域２２は、差込片１９と略同幅である。即ち。切断線２１は、差込片１９の両側縁部１９ｂからそれぞれ下方に向けて所定高さまで縦方向に連続的に形成された縦線部２１ａと、両縦線部２１ａの各終端部同士を連結するように横方向に略水平に形成された横線部２１ｂとから構成されている。詳細には、各縦線部２１ａは、その大部分が切断状態にあり、その下方側の一カ所にのみ未切断部分２１ｃが設けられている。横線部２１ｂにおいてもほぼ同様であって、二カ所にのみ未切断部分２１ｃが設けられている他は切断状態にある。従って、本実施形態では、合計四カ所の未切断部分２１ｃが切断されることにより、切離領域２２は他の領域から切離される。また、縦線部２１ａはその上方側所定部分が切断された状態にあるため、差込片１９をロック用切り込み２０に差し込む際に、縦線部２１ａの未切断部分２１ｃを支点として切離領域２２を前方側に撓ませることができ、従って、容易に差込片１９を切り込み２０に差し込むことができる。但し、切断線２１は、切断部分と未切断部分とが交互に形成されたミシン目や、いわゆるハーフカット状のミシン目など、種々の切断線を使用できる。
【００１７】
次に、該差込片１９が差し込まれるロック用切り込み２０について説明する。
該切り込み２０は、図６（イ）の如く、蓋フラップ１８の折曲線２上に長さＬ３に亘って形成されている。該切り込み２０の長さＬ３は、差込片１９の幅Ｌ１に略等しいか或いはそれよりも僅かに（例えば１ｍｍ程度）長く設定されている。また、切り込み２０の略中央には、前記差込片１９の折曲線１に対応した位置に、段差を介して蓋フラップ１８の先端側に食い込んだ食い込み部２０ａが形成されている。従って、図６（ロ）の如く、蓋フラップ１８を蓋板１５に対して下側に略９０度折り曲げると、切り込み２０の蓋フラップ１８側には、食い込み部２０ａの食い込み量に対応した大きさの切欠開口２３が形成される。尚、食い込み部２０ａの長さＬ４は、差込片１９の折曲線１の長さＬ２と略等しいか或いはそれよりも僅かに（例えば１乃至２ｍｍ程度）長く設定されている。また、食い込み部２０ａの食い込み量、即ち、蓋フラップ１８の折曲線２と食い込み部２０ａとの間の段差Ｄ２は、差込片１９の折曲線１と正面壁５の上縁部５ａとの間の段差Ｄ１と略等しいか或いはそれよりも大きく設定されている。
【００１８】
以上のように構成された包装ケースは、図１のように箱状に組み立てられて種々の被包装物が収納された後に、蓋板１５で上方開口が閉塞される。被包装物としては種々のものがあるが、その中でも食品や医薬品、化粧品等においては、開封非容易性、即ち、蓋板１５のいわゆるタンパー機能が特に要求される。本実施形態においては、蓋フラップ１８を側壁部９の内側に折り込み、ロック用切り込み２０に折曲状態の差込片１９を差し込むと、差込片１９の折曲線１が正面壁５の上縁部５ａよりも低い位置にあると共に差込片１９の被係止縁部１９ｃと正面壁５との間には所定の隙間Ｇが形成されているため、図７（イ）の如く差込片１９の基端部１９ｄがロック用切り込み２０の切欠開口２３に自動的に嵌り込むと共に、図７（ロ）の如く、差込片１９の基端部１９ｄの両側の隙間Ｇには、蓋フラップ１８における切欠開口２３の両側部分１８ａが入り込む。従って、差込片１９を切り込み２０から引き抜いて蓋板１５を開封しようとした場合、差込片１９の両被係止縁部１９ｃ（被係止部）が蓋フラップ１８における切欠開口２３の両側部分１８ａ（係止部）に係止されるため、差込片１９を切り込み２０から容易に抜き出すことはできない。即ち、蓋フラップ１８を正面壁５に接着しなくても、蓋板１５の開封が確実に防止されるのである。このように、本実施形態においては、差込片１９の被係止縁部１９ｃと蓋フラップ１８とから、差込片１９の差込状態を維持すべく差込片１９を係止する係止手段が構成されている。
【００１９】
そして、包装ケースを開封する際には、正面壁５の切離領域２２を切断線２１によって他の領域から分離し、図８の如く、蓋板１５を上方に開ける。この開封時には、差込片１９の係止状態は維持されたままであり、従って、差込片１９及び切離領域２２は、蓋板１５と共に上方に移動する。
【００２０】
以上のように、本実施形態における包装ケースにあっては、係止手段を備えることによって接着剤を使用せずとも組み立てのみで蓋板１５の開封を確実に防止することができ、無理に開封しようとすると容易に切断可能な切断線２１が切断され、悪戯等によって開封された事が判別できる（タンパーエビデント性）ため、特に、被包装物として食品や医薬品、化粧品を包装する場合に効果が大きい。しかも、開封手段として、正面壁５の切離領域２２を他の領域から切離することによって差込片１９を正面壁５から切離するための切断線２１を設けているため、開封時にこの切断線２１を切離する作業のみで楽に開封することができる。また、差込片１９を側壁部９に形成すると共にロック用切り込み２０を蓋フラップ１８を折曲線２上に形成しているため、側壁部９の内側に折り込んだ蓋フラップ１８を差込片１９で固定したうえで更に、その差込片１９を係止手段で係止して差込状態を維持するというように、蓋板１５を二重に固定する構成となり、差込片１９を蓋板１５に設ける構成に比してより一層確実に蓋板１５の開封を防止することができ、蓋板１５の周縁部が上方へ反り上がることも抑制できる。
【００２１】
尚、正面壁５の切離領域２２をより容易に切離するために、例えば、図９のように、切離領域２２の下方側に略半円状等の切欠２４を隣接してもよい。図９において、クロスハッチングが施されている部分が切欠２４であり、該切欠２４に指を差し込んで切離領域２２を容易に切離することができる。また、切欠２４に代えて、図１０のように横線部２１ｂから下方側に所定距離離間して折曲線２５を形成し、該折曲線２５まで両縦線部２１ａを延設して、折曲線２５と横線部２１ｂとの間の領域２６を折曲線２５を支点として前後に撓ませる構成としてもよい。このように切欠２４を使用しない構成では、切欠２４を形成する際に生じるシートの残片の処理も不要であるうえに、ゴミ等が切欠２４を介して包装ケース内に侵入することも防止できるため好ましい。
【００２２】
尚、上記実施形態では、開封手段として、差込片１９を正面壁５から切離するための切断線２１を正面壁５に形成した場合について説明したが、開封手段として、蓋板１５に所定の切断線を形成することによって開封時に係止手段の係止状態が解除される構成とすることもできる。
【００２３】
例えば、図１１に示す包装ケースは、図１３に示す展開形状のプラスチックシートから箱状に折り曲げ形成されたものであり、係止手段の構成は上述と同様であるが、その開封手段が異なっている。尚、図１３において折曲線１，２，３は破線にて示されている。
該包装ケースにおいては、正面壁５には上述のような切断線２１が形成されていない。それに代えて差込片１９の左右両側には、正面壁５の上縁部５ａから下方に向けて所定長さのスリット３１が形成されており、これによって差込片１９が前方側に撓みやすくしている。差込片１９の折曲線１等は同様である。
【００２４】
そして、図１４のように、蓋板１５を閉状態にした場合、上記実施形態と同様に係止手段によって差込片１９が係止されるが、該蓋板１５に開封用の切断線３０が開封手段として形成されている。該切断線３０は、図１４（イ）のようにロック用切り込み２０の両端部を各々起点として蓋板１５の基端側に向けて伸びる縦線部３０ａと、両縦線部３０ａの終端部同士を連結するように横方向に伸びる横線部３０ｂとから、全体として略コの字状に形成されている。各縦線部３０ａと横線部３０ｂは、共に二カ所の未切断部分３０ｃを有し、それ以外は切断状態となっている。そして、開封時に、ロック用切り込み２０に食い込み部２０ａを形成することによって蓋フラップ１８の折曲状態において前方に突出する領域３２を摘み部として手で摘んで上方に引き上げることにより、ロック用切り込み２０を起点として切断線３０が切断され、ロック用切り込み２０と略コの字状の切断線３０とによって区画された領域３３が蓋板１５の他の領域から切離され、蓋板１５には、差込片１９の上方位置に差込片１９全体が露出するような開口部３４が形成される（図１４（ロ）参照）。この状態から折曲状態の差込片１９を開口部３４から上方に引き出して略起立状態に戻すことにより、蓋フラップ１８と差込片１９との係止状態が解除され、よって蓋板１５を上方に開けて開封することができる。
【００２５】
尚、この開封時に前記領域３３を他の領域から切離するのではなく、例えば両縦線部３０ａのみを切断し、横線部３０ｂは切断せずにそのまま残すようにして開口部３４を形成してもよい。従って、切断線３０自体を両縦線部３０ａのみとしてもよい。何れにしても、差込片１９が蓋板１５の外側に取り出すことができる程度の開口部３４を蓋板１５に形成できるようにロック用切り込み２０を起点として切断線３０を形成すればよい。
【００２６】
このように開封手段は種々の構成を作用することができ、何れにしてもシートを部分的に切断することによって蓋板１５を開封する構成であればよい。
また、係止手段の構成も適宜設計変更可能であり、何れにしても差込片１９を係止することによって差込片１９の差込状態が維持される構成であればよい。
【００２７】
【発明の効果】
以上のように、差込片の差込状態を維持すべく差込片を係止する係止手段を備えているため接着剤を使用せずとも蓋板の開封を確実に防止することができ、しかも、ロック用切り込みを起点とした開封用の切断線が蓋板に形成されていて、その切断線によって差込片全体が露出する開口部を蓋板に形成できるので、その開口部から差込片を上方に引き出すことによって容易に蓋板を開封することができ、開封防止機能と開封容易性とを両立することができる。
【図面の簡単な説明】
【図１】本発明の一実施形態における包装ケースを示す斜視図。
【図２】同包装ケースの蓋板を閉じた状態を示す部分斜視図。
【図３】同包装ケースを構成するプラスチックシートの展開図。
【図４】同ケースの要部拡大図。
【図５】同ケースの要部拡大図であり、（イ）は図４の状態から差込片を折り曲げた状態を示す正面図であり、（ロ）はその状態の平面図である。
【図６】同ケースの要部拡大図であり、（イ）は蓋フラップが折り曲げられていない状態を示す平面図であり、（ロ）は（イ）の状態から蓋フラップを折り曲げた状態を示す正面図である。
【図７】図２の要部拡大図であって、（イ）は正面壁を省略した状態における正面図であり、（ロ）は（イ）のＰ−Ｐ断面図である。
【図８】同ケースの開封状態を示す斜視図。
【図９】本発明の他の実施形態における包装ケースの要部拡大図。
【図１０】本発明の他の実施形態における包装ケースの要部拡大図。
【図１１】本発明の他の実施形態における包装ケースを示す図１に対応した斜視図。
【図１２】同包装ケースの蓋板を閉じた状態を示す図２に対応した部分斜視図。
【図１３】同ケースを構成するプラスチックシートの展開図。
【図１４】同ケースの要部拡大平面図であって、（イ）は開封前の状態を示し、（ロ）は開封状態を示す。
【符号の説明】
１，２，３…折曲線、５…正面壁、５ａ…上縁部、９…側壁部、１５…蓋板、１８…蓋フラップ（係止手段）、１９…差込片、１９ｃ…被係止縁部（係止手段）、２０…ロック用切り込み、２１，３０…切断線（開封手段）、３４…開口部
【図１】
0004155498.tif 000002
【図２】
0004155498.tif 000003
【図３】
0004155498.tif 000004
【図４】
0004155498.tif 000005
【図５】
0004155498.tif 000006
【図６】
0004155498.tif 000007
【図７】
0004155498.tif 000008
【図８】
0004155498.tif 000009
【図９】
0004155498.tif 000010
【図１０】
0004155498.tif 000011
【図１１】
0004155498.tif 000012
【図１２】
0004155498.tif 000013
【図１３】
0004155498.tif 000014
【図１４】
0004155498.tif 000015